(57)【特許請求の範囲】
【請求項１】
内燃機関からの排気ガスを処理するための排気システムであって、モディファイドリーンＮＯｘトラップ（ＬＮＴ）、尿素注入システム、及びアンモニア−選択的触媒的還元（ＮＨ３−ＳＣＲ）触媒を含み、モディファイドＬＮＴが、ＮＯｘを２００℃未満の温度において貯蔵し、かつ貯蔵されたＮＯｘを２００℃より上の温度において放出し、かつモディファイドＬＮＴが：
（ａ）ＮＯｘ吸着成分及び１以上の白金族金属を含む第一の層と；
（ｂ）白金族金属、ゼオライト、及び任意選択的にアルカリ土類金属を含むディーゼル酸化触媒ゾーン、並びに白金族金属及びキャリアを含むＮＯ酸化ゾーンを含む第二の層と；
を含む、排気システム。
【請求項２】
尿素注入システムが１８０℃より上の温度において尿素を注入する、請求項１に記載の排気システム。
【請求項３】
ＮＯｘ吸着成分が、アルカリ土類金属、アルカリ金属、希土類金属及びそれらの混合物を含む、請求項１又は２に記載の排気システム。
【請求項４】
アルカリ土類金属、アルカリ金属、希土類金属及びそれらの混合物が、無機酸化物材料上に担持される、請求項３に記載の排気システム。
【請求項５】
無機酸化物材料が、セリア含有材料又はマグネシア−アルミナである、請求項４に記載の排気システム。
【請求項６】
マグネシア−アルミナが、マグネシウム−アルミン酸塩スピネルである、請求項５に記載の排気システム。
【請求項７】
ＮＯｘ吸着成分がバリウムを含む、請求項１から６の何れか一項に記載の排気システム。
【請求項８】
第一の層の１以上の白金族金属が、パラジウム、白金、ロジウム及びそれらの混合物からなる群から選択される、請求項１から７の何れか一項に記載の排気システム。
【請求項９】
ディーゼル酸化触媒ゾーンのゼオライトが、ＡＥＩ、ＣＨＡ、ＬＥＶ、ＢＥＡ、ＦＡＵ及びＭＦＩからなるフレームワークタイプの群から選択される、請求項１から８の何れか一項に記載の排気システム。
【請求項１０】
ディーゼル酸化触媒ゾーンが、アルミナ又はシリカ−ドープアルミナを含む無機酸化物担体を更に含む、請求項１から９の何れか一項に記載の排気システム。
【請求項１１】
ＮＯ酸化ゾーンのキャリアが、アルミナ及びセリアを含む、請求項１から１０の何れか一項に記載の排気システム。
【請求項１２】
ＮＯ酸化ゾーンが、マンガンを更に含む、請求項１から１１の何れか一項に記載の排気システム。
【請求項１３】
ＮＨ３−ＳＣＲ触媒が、バナジア−チタニア触媒、バナジア−タングスタ−チタニア触媒、及び金属／ゼオライトからなる群から選択される、請求項１から１２の何れか一項に記載の排気システム。
【請求項１４】
金属／ゼオライトが、鉄又は銅からなる群から選択される金属、及びＡＥＩ、ＣＨＡ、ＬＥＶ、ＢＥＡ（例えば、ベータゼオライト）又はＦＥＲ（例えば、フェリエライト）からなるフレームワークタイプの群から選択されるゼオライトを含む、請求項１３に記載の排気システム。
【請求項１５】
ＮＨ３−ＳＣＲ触媒が、アンモニア−選択的触媒的還元フィルタ（ＮＨ３−ＳＣＲＦ）である、請求項１から１４の何れか一項に記載の排気システム。
【請求項１６】
ＮＨ３−ＳＣＲＦが、バナジア−チタニア触媒、バナジア−タングスタ−チタニア触媒及び金属／ゼオライトからなる群から選択されるＮＨ３−ＳＣＲ触媒を有するフィルタを含む、請求項１５に記載の排気システム。
【請求項１７】
（ａ）ＮＯｘ吸着成分及び１以上の白金族金属を含む第一の層と；
（ｂ）白金族金属、ゼオライト、及び任意選択的にアルカリ土類金属を含むディーゼル酸化触媒ゾーン、並びに白金族金属及びキャリアを含むＮＯ酸化ゾーンを含む第二の層と；
を含む、モディファイドリーンＮＯｘトラップ（ＬＮＴ）。
【請求項１８】
車両の内燃機関からの排気ガスを処理するための方法であって：
（ａ）排気ガスを請求項１７のモディファイドリーンＮＯｘトラップ（ＬＮＴ）上に通過させて、排気ガスからの窒素の酸化物（ＮＯｘ）を２００℃未満の温度において除去し、かつＮＯｘを２００℃より上の温度において放出することと；
（ｂ）１８０℃より上の温度においてモディファイドＬＮＴの下流の排気ガス中に尿素を注入することと；
（ｃ）モディファイドＬＮＴから放出されるＮＯｘを含有する排気ガス及び尿素をＮＨ３−ＳＣＲ触媒上に通過させて、ＮＯｘを窒素に変換することと；
を含む方法。
【請求項１９】
モディファイドＬＮＴをリッチな空気：燃料比の環境下で５００℃より上の温度に定期的に供して、モディファイドＬＮＴ上に蓄積された硫黄を除去することを更に含む請求項１８に記載の方法。
【発明の詳細な説明】
【技術分野】
【０００１】
本発明は、内燃機関からの排気ガスを処理するための排気システム、及び内燃機関からの排気ガスを処理するための方法に関する。
【背景技術】
【０００２】
内燃機関は、政府法規の対象である窒素酸化物（「ＮＯｘ」）と一酸化炭素と未燃炭化水素とを含む種々の汚染物質を含有する排気ガスを生じる。排出制御システムは、大気に排出されるこれらの汚染物質の量を低減するために広く利用され、かつ典型的には、一旦それらがそれらの作動温度（典型的には、２００℃以上）に達すると、非常に高い効率を達成する。しかしながら、これらのシステムは、それらの作動温度未満（「コールドスタート」期間）で相対的に非効率である。
【０００３】
例えば、Ｅｕｒｏ  ６ｂに応じるために実施される現在の尿素ベースの選択的触媒的還元（ＳＣＲ）アプリケーションは、尿素が投与されてかつＮＯｘを変換するように使用され得る前に、尿素投与位置における温度が約１８０℃より上であることを、要求する。１８０℃未満でのＮＯｘ変換は、現在のシステムを使用して扱うことが難しく、かつ将来の欧州及び米国法規は、低温ＮＯｘ貯蔵及び変換に重点を置くであろう。現在、加熱ストラテジによりこれが達成されるが、これはＣＯ２排出物の有害な効果を有する。
【０００４】
国家及び地域のより一層厳重な法規がディーゼル又はガソリン機関から排出されてよい汚染物質の量を低下させるので、コールドスタート期間の間に排出物を低減させることは、主たる挑戦になる。したがって、コールドスタート条件の間に排出されるＮＯｘのレベルを低減させるための方法は、調査され続ける。
【０００５】
例えば、ＰＣＴ国際出願ＷＯ  ２００８／０４７１７０は、リーン排気ガスからのＮＯｘが２００℃未満の温度において吸着され続いて２００℃より上の温度で熱的に放出されるシステムを開示する。ＮＯｘ吸着剤は、パラジウム、及びセリウム酸化物若しくは混合酸化物、又はセリウム及び少なくとも１の他の遷移金属を含有する複合酸化物からなることが教示される。
【０００６】
米国出願公開第２０１１／０００５２００号は、アンモニア選択的触媒的還元（「ＮＨ３−ＳＣＲ」）触媒製剤をリーンＮＯｘトラップの下流に配置することにより、同時にアンモニアを除去してかつ正味のＮＯｘ変換を向上させる、触媒システムを教示する。ＮＨ３−ＳＣＲ触媒は、リッチパルスの間に発生するアンモニアをリーンＮＯｘトラップ中で吸着することが教示される。貯蔵されたアンモニアは、その後、リーンＮＯｘトラップの上流から排出されるＮＯｘと反応し、そしてそれが、貯蔵されたアンモニアを使い尽くす一方でＮＯｘ変換率を増加させる。
【０００７】
ＰＣＴ国際出願ＷＯ  ２００４／０７６８２９は、ＳＣＲ触媒の上流に配置されたＮＯｘ貯蔵触媒を含む排気ガス精製システムを開示する。ＮＯｘ貯蔵触媒は、少なくとも１の白金族金属（Ｐｔ、Ｐｄ、Ｒｈ又はＩｒ）でコーティング又は活性化される少なくとも１のアルカリ、アルカリ土類又は希土類金属を含む。特に好適なＮＯｘ貯蔵触媒は、白金でコーティングされたセリウム酸化物、及び追加的に、アルミニウム酸化物ベースの担体上の酸化触媒としての白金を含むことが教示される。ＥＰ  １０２７９１９は、アルミナ、ゼオライト、ジルコニア、チタニア及び／又はランタナのような多孔質担体材料、並びに少なくとも０．１重量％の貴金属（Ｐｔ、Ｐｄ及び／又はＲｈ）を含むＮＯｘ吸着剤材料を開示する。アルミナ上に導入される白金が例示される。
【０００８】
任意の自動車のシステム及び方法と同様に、排気ガス処理システム、特にコールドスタート条件下、において一層更なる改善を達成することが望まれている。良好なＣＯ酸化活性を維持し、かつサルフェーションによる不活性化に対する耐性を示す一方でコールドスタート期間の間にＮＯｘ排出物を低減し得るシステムを、我々は発見した。
【発明の概要】
【０００９】
本発明は、内燃機関からの排気ガスを処理するための排気システムである。システムは、モディファイドリーンＮＯｘトラップ（ＬＮＴ）、尿素注入システム及びアンモニア選択的触媒的還元（ＮＨ３−ＳＣＲ）触媒を含む。モディファイドＬＮＴは、第一の層及び第二の層を含む。第一の層は、ＮＯｘ吸着成分及び１以上の白金族金属を含む。第二の層は、ディーゼル酸化触媒ゾーン及びＮＯ酸化ゾーンを含む。ディーゼル酸化触媒ゾーンは、白金族金属、ゼオライト及び任意選択的にアルカリ土類金属を含む。ＮＯ酸化ゾーンは、白金族金属及びキャリアを含む。モディファイドＬＮＴは、ＮＯｘを、約２００℃未満の温度において貯蔵し、かつ約２００℃より上の温度において放出する。本発明は、モディファイドＬＮＴ、及びモディファイドＬＮＴを使用する方法も含む。
【図面の簡単な説明】
【００１０】
【図１】モディファイドＬＮＴを用いた機関試験からの累積的なＮＯｘを示す。
【図２】ＮＯｘ吸着材を含む第一の層上にディーゼル酸化触媒ゾーン及びＮＯ酸化ゾーンを含むＬＮＴについてのＮＯ２／ＮＯｘ比の改善された濃度を示す。
【発明を実施するための形態】
【００１１】
本発明は、内燃機関からの排気ガスを処理するための排気システムである。システムは、モディファイドリーンＮＯｘトラップ（ＬＮＴ）を含む。リーンＮＯＸトラップは、当該技術分野でよく知られている。リーンＮＯＸトラップは、典型的には、リーン排気条件下でＮＯＸを吸着し、吸着されたＮＯＸをリッチ条件下で放出し、かつ放出されたＮＯＸをＮ２に還元するように、設計される。
【００１２】
ＬＮＴは、典型的には、ＮＯｘ貯蔵成分、酸化成分及び還元成分を含む。ＮＯｘ貯蔵成分は、好ましくは、（バリウム、カルシウム、ストロンチウム及びマグネシウムのような）アルカリ土類金属、（カリウム、ナトリウム、リチウム及びセシウムのような）アルカリ金属、又は（ランタン、イットリウム、プラセオジム及びネオジムのような）希土類金属、又はそれらの組み合わせを含む。金属は、典型的には、酸化物の形態で見られる。典型的には、白金は、酸化機能を果たすように含まれ、かつロジウムは、還元機能を果たすように含まれる。これらの成分は、１以上の担体上に含有される。
【００１３】
酸化／還元触媒及びＮＯｘ貯蔵成分は、好ましくは、排気システム内での使用のためのＬＮＴを形成するように無機酸化物のような担体材料上に担持される。
【００１４】
本発明のモディファイドＬＮＴは、それらがＮＯｘを約２００℃未満の温度において貯蔵してかつ貯蔵されたＮＯｘを約２００℃より上の温度において放出するように好ましくは設計される既知のＬＮＴとは異なる機能、を有するように設計される。貯蔵されたＮＯｘの放出は、熱的にもたらされてよく、又はリッチパージによりもたらされてもよい。
【００１５】
モディファイドＬＮＴは、第一の層及び第二の層を含む。第一の層は、ＮＯｘ吸着成分及び１以上の白金族金属を含む。ＮＯｘ吸着成分は、好ましくは、アルカリ土類金属、アルカリ金属、希土類金属及びそれらの混合物を含む。アルカリ土類金属は、好ましくは、バリウム、カルシウム、ストロンチウム又はマグネシウムである。アルカリ金属は、好ましくは、カリウム、ナトリウム、リチウム又はセシウムである。希土類金属は、好ましくは、ランタン、イットリウム、プラセオジム又はネオジムである。最も好ましくは、ＮＯｘ吸着成分はバリウムを含む。
【００１６】
利用される場合、アルカリ土類金属、アルカリ金属、希土類金属又はそれらの混合物は、好ましくは、無機酸化物上に担持されてよい。無機酸化物材料は、好ましくは、セリア含有材料又はマグネシア−アルミナである。セリア含有材料は、好ましくは、セリア、セリア−ジルコニア、セリア−ジルコニア−アルミナ又はそれらの混合物である。より好ましくは、セリア含有材料は、セリア、特に微粒子セリアである。マグネシア−アルミナは、好ましくは、スピネル、マグネシア−アルミナ混合金属酸化物、ハイドロタルサイト又はハイドロタルサイトのような材料、及びそれらの２つ以上の組み合わせである。より好ましくは、マグネシア−アルミナ担体はスピネルである。
【００１７】
アルカリ土類金属、アルカリ金属又は希土類金属成分は、任意の既知の手法により無機酸化物材料上に担持されてよく、添加の方法は、特に重要だとは考えられない。例えば、バリウム化合物（酢酸バリウムのような）は、含浸、吸着、イオン交換、インシピエントウエットネス又は沈殿等により、セリア含有材料に添加されてよい。好ましくは、第一の層は、少なくとも２．５重量％のバリウムを含む。
【００１８】
白金族金属は、好ましくは、白金、パラジウム、ロジウム又はそれらの混合物である。白金及びパラジウムは、特に好適である。
【００１９】
好ましくは、第一の層は担体も含む。担体は、好ましくは、第２、第３、第４、第５、第１３及び第１４族元素の酸化物である。最も好ましくは、担体は、アルミナ、シリカ、チタニア、ジルコニア、マグネシア、ニオビア、タンタル酸化物、モリブデン酸化物、タングステン酸化物、それらの任意の２以上の混合酸化物又は複合酸化物、及びそれらの混合物である。
【００２０】
好適な担体は、１０から１５００ｍ２／ｇの範囲の表面積、０．１から４ｍＬ／ｇの範囲の細孔体積、及び約１０から１０００オングストロームの細孔直径を好ましくは有する。８０ｍ２／ｇを上回る表面積を有する高表面積担体は、特に好適である。
【００２１】
第二の層は、ディーゼル酸化触媒ゾーン及びＮＯ酸化ゾーンを含む。ディーゼル酸化触媒ゾーンは、白金族金属、ゼオライト及び任意選択的にアルカリ土類金属を含む。任意選択的なアルカリ土類金属は、好ましくは、マグネシウム、カルシウム、ストロンチウム又はバリウム、より好ましくは、バリウムである。白金族金属は、好ましくは、白金及びパラジウムを含む。好ましくは、ディーゼル酸化触媒ゾーン中のＰｄ：Ｐｔ比は、０．２５から１の範囲にわたる。
【００２２】
ゼオライトは、任意の天然又は人工的なゼオライトであってよく、好ましくは、アルミニウム、ケイ素及び／又はリンで構成される。ゼオライトは、典型的には、酸素原子の共有により結合されるＳｉＯ４、ＡｌＯ４及び／又はＰＯ４の三次元配置を有するが、同様に二次元構造でもあってよい。ゼオライトフレームワークは、典型的にはアニオン性であり、そしてそれは、電荷補償するカチオン、典型的には、アルカリ及びアルカリ土類元素（例えば、Ｎａ、Ｋ、Ｍｇ、Ｃａ、Ｓｒ及びＢａ）、アンモニウムイオン並びにまたプロトン、により相殺される。
【００２３】
好ましくは、ゼオライトは、アルミノケイ酸塩ゼオライト、金属置換アルミノケイ酸塩ゼオライト、アルミノリン酸塩ゼオライト、金属置換アルミノリン酸塩ゼオライト、シリコアルミノリン酸塩ゼオライト又は金属置換シリコアルミノリン酸塩ゼオライトから選択される。
【００２４】
ＡＣＯ、ＡＥＩ、ＡＥＮ、ＡＦＮ、ＡＦＴ、ＡＦＸ、ＡＮＡ、ＡＰＣ、ＡＰＤ、ＡＴＴ、ＣＤＯ、ＣＨＡ、ＤＤＲ、ＤＦＴ、ＥＡＢ、ＥＤＩ、ＥＰＩ、ＥＲＩ、ＧＩＳ、ＧＯＯ、ＩＨＷ、ＩＴＥ、ＩＴＷ、ＬＥＶ、ＫＦＩ、ＭＥＲ、ＭＯＮ、ＮＳＩ、ＯＷＥ、ＰＡＵ、ＰＨＩ、ＲＨＯ、ＲＴＨ、ＳＡＴ、ＳＡＶ、ＳＩＶ、ＴＨＯ、ＴＳＣ、ＵＥＩ、ＵＦＩ、ＶＮＩ、ＹＵＧ、ＺＯＮ、ＭＦＩ、ＦＥＲ、ＭＷＷ、ＥＵＯ、ＣＯＮ、ＢＥＡ、ＦＡＵ、ＭＯＲ及びＥＭＴのフレームワークタイプを有するゼオライト、同様に任意の２以上の連晶又は混合物も、特に好適である。最も好ましくは、ゼオライトは、ＡＥＩ、ＣＨＡ、ＬＥＶ、ＢＥＡ（例えば、ベータゼオライト）、ＦＡＵ（例えば、ゼオライトＹ）又はＭＦＩ（例えば、ＺＳＭ−５）のフレームワークタイプを有する。
【００２５】
ディーゼル酸化触媒は、好ましくは、マンガンも含む。
ディーゼル酸化触媒ゾーンは、好ましくは、無機酸化物担体も含む。無機酸化物担体は、第２、第３、第４、第５、第１３及び第１４族元素の酸化物を好ましくは含む。最も好ましくは、担体は、アルミナ、又はシリカドープアルミナ担体である。
【００２６】
ＮＯ酸化ゾーンは、白金族金属及びキャリアを含む。白金族金属は、好ましくは、白金及びパラジウムを含む。好ましくは、ＮＯ酸化ゾーン中のＰｄ：Ｐｔ比は、０から０．２５の範囲にわたる。
【００２７】
キャリアは、好ましくは、アルミナ、シリカ、セリア含有材料、チタニア、ジルコニア、マグネシア、ニオビア、タンタル酸化物、モリブデン酸化物、タングステン酸化物、任意の２以上のそれらの混合酸化物又は複合酸化物（例えば、シリカ−アルミナ、マグネシア−アルミナ）及びそれらの混合物である。セリア含有材料は、好ましくは、セリア、セリア−ジルコニア、セリア−ジルコニア−アルミナ又はそれらの混合物であり、より好ましくは、セリア含有材料は、セリア、特に微粒子セリア、である。アルミナ及びセリアのようなキャリアの混合物は、特に好適である。
【００２８】
ＮＯ酸化ゾーンは、好ましくは、マンガンを含んでよい。
ＮＯ酸化ゾーンは、アルカリ金属又はアルカリ土類金属、例えば、バリウム、を含有してよいが、アルカリ金属又はアルカリ土類金属成分が実質的に無くてもよい。「実質的に無い」により、アルカリ金属又はアルカリ土類金属がＮＯ酸化ゾーンへ故意に添加されないことが意味される。好ましくは、「実質的に無い」は、ＮＯ酸化ゾーンが、０．１重量％未満のアルカリ金属又はアルカリ土類金属、より好ましくは０．０５重量％未満のアルカリ金属又はアルカリ土類金属を含有し、最も好ましくはアルカリ金属又はアルカリ土類金属を含有しないことを意味する。
【００２９】
モディファイドＬＮＴは、好ましくは、基材を含む。基材は、好ましくは、セラミック基材又は金属基材である。セラミック基材は、任意の適切な耐火性材料、例えば、アルミナ、シリカ、チタニア、セリア、ジルコニア、マグネシア、ゼオライト、ケイ素窒化物、ケイ素炭化物、ジルコニウムケイ酸塩、マグネシウムケイ酸塩、アルミノケイ酸塩及びメタロアルミノケイ酸塩（コーディエライト及びスポジュメンのような）、又は任意の２以上のそれらの混合酸化物若しくは混合物で作製されてよい。コーディエライト、マグネシウムアルミノケイ酸塩及びケイ素炭化物は、特に好適である。
【００３０】
金属基材は、任意の適切な金属、特に耐熱性金属並びに金属合金、例えば、チタン及びステンレス鋼、同様に、他の微量金属に加えて、鉄、ニッケル、クロム及び／又はアルミニウムを含有するフェライト系合金で作製されてよい。
【００３１】
基材は、好ましくは、フロースルー基材又はフィルター基材である。最も好ましくは、基材は、フロースルー基材である。特に、フロースルー基材は、基材を通り軸方向に延び基材全体にわたる多くの小さく平行な薄壁チャンネルを有するハニカム構造体を好ましくは有するフロースルーモノリスである。
【００３２】
基材のチャネル断面は、任意の形であってよいが、好ましくは、四角形、シヌソイド、三角形、長方形、六角形、台形、丸又は楕円である。
【００３３】
基材に添加された場合、モディファイドＮＯｘトラップの層は任意の順序で基材上に配置されてよいが、好ましくは、第一の層が基材上に配置され、かつ第二の層が第一の層上に配置される。第二の層のディーゼル酸化触媒ゾーンは、排気ガスがＮＯ酸化ゾーンと接触する前にディーゼル酸化触媒ゾーンとまず接触するように、好ましくは、ＮＯ酸化ゾーンの上流に配置される。
【００３４】
本発明のモディファイドＮＯｘトラップは、当該技術分野でよく知られた方法により調製されてよい。好ましくは、ＮＯＸトラップは、ウォッシュコート法を用いて２つの層を基材上に付着させることにより調製される。
【００３５】
好ましくは、基材の全体長さは、第一の層のウォッシュコートが基材の表面全体を覆うように、第一の層スラリーでコーティングされる。前端部からの基材の長さの一部は、ディーゼル酸化触媒ゾーンでコーティングされ、一方で基材長さの残部は、ＮＯ酸化ゾーンでコーティングされる。
【００３６】
本発明のモディファイドＬＮＴは、ＮＯｘを約２００℃未満の温度において貯蔵し、かつ貯蔵されたＮＯｘを約２００℃より上の温度において放出する。
【００３７】
本発明の排気システムは、アンモニア選択的触媒的還元（ＮＨ３−ＳＣＲ）触媒も含む。ＮＨ３−ＳＣＲ触媒は、当該技術分野でよく知られている任意の既知のＮＨ３−ＳＣＲ触媒を含んでよい。ＮＨ３−ＳＣＲ触媒は、窒素化合物（アンモニア又は尿素のような）との反応によりＮＯｘをＮ２に還元する触媒である。
【００３８】
好ましくは、ＮＨ３−ＳＣＲ触媒は、バナジア−チタニア触媒、バナジア−タングスタ−チタニア触媒又は金属／ゼオライトから構成される。金属／ゼオライト触媒は、金属及びゼオライトを含む。好適な金属は、鉄及び銅を含む。
【００３９】
ゼオライトは、任意の天然又は人工的なゼオライトであってよく、好ましくは、アルミニウム、ケイ素及び／又はリンで構成される。ゼオライトは、典型的には、酸素原子の共有により結合されるＳｉＯ４、ＡｌＯ４及び／又はＰＯ４の三次元配置を有するが、同様に二次元構造であってもよい。
【００４０】
ゼオライトフレームワークは、典型的にはアニオン性であり、そしてそれは、電荷補償するカチオン、典型的には、アルカリ及びアルカリ土類元素（例えば、Ｎａ、Ｋ、Ｍｇ、Ｃａ、Ｓｒ及びＢａ）、アンモニウムイオン並びにまたプロトンにより相殺される。
【００４１】
好ましくは、ゼオライトは、アルミノケイ酸塩ゼオライト、金属置換アルミノケイ酸塩ゼオライト、アルミノリン酸塩ゼオライト、金属置換アルミノリン酸塩ゼオライト、シリコアルミノリン酸塩ゼオライト又は金属置換シリコアルミノリン酸塩ゼオライトから選択される。
【００４２】
ＡＣＯ、ＡＥＩ、ＡＥＮ、ＡＦＮ、ＡＦＴ、ＡＦＸ、ＡＮＡ、ＡＰＣ、ＡＰＤ、ＡＴＴ、ＣＤＯ、ＣＨＡ、ＤＤＲ、ＤＦＴ、ＥＡＢ、ＥＤＩ、ＥＰＩ、ＥＲＩ、ＧＩＳ、ＧＯＯ、ＩＨＷ、ＩＴＥ、ＩＴＷ、ＬＥＶ、ＫＦＩ、ＭＥＲ、ＭＯＮ、ＮＳＩ、ＯＷＥ、ＰＡＵ、ＰＨＩ、ＲＨＯ、ＲＴＨ、ＳＡＴ、ＳＡＶ、ＳＩＶ、ＴＨＯ、ＴＳＣ、ＵＥＩ、ＵＦＩ、ＶＮＩ、ＹＵＧ、ＺＯＮ、ＭＦＩ、ＦＥＲ、ＭＷＷ、ＥＵＯ、ＣＯＮ、ＢＥＡ、ＦＡＵ、ＭＯＲ及びＥＭＴのフレームワークタイプを有するゼオライト、同様に任意の２以上の連晶又は混合物も、特に好適である。最も好ましくは、ゼオライトは、ＡＥＩ、ＣＨＡ、ＬＥＶ、ＢＥＡ（例えば、ベータゼオライト）又はＦＥＲ（例えば、フェリエライト）のフレームワークタイプを有する。
【００４３】
ＮＨ３−ＳＣＲ触媒は、上記のように、好ましくは、セラミック又は金属基材上にコーティングされる。基材は、典型的には、車両排気が通過する多くのチャネルを提供するように設計され、チャネルの表面は、好ましくは、ＮＨ３−ＳＣＲ触媒でコーティングされるであろう。
【００４４】
ＮＨ３−ＳＣＲ触媒のための基材は、フィルタ基材又はフロースルー基材であってよい。好ましくは、ＮＨ３−ＳＣＲ触媒は、アンモニア選択的触媒的還元フィルタ（ＮＨ３−ＳＣＲＦ）として既知のフィルタ上にコーティングされる。ＳＣＲＦは、ＮＨ３−ＳＣＲ及び微粒子フィルタの機能性を組み合わせる単一基材装置である。それらは、内燃機関からのＮＯｘ及び微粒子排出物を低減するように使用される。
【００４５】
本発明のシステムは、尿素注入システムを更に含む。尿素注入システムは、好ましくは、ＮＨ３−ＳＣＲ触媒の上流及びモディファイドＬＮＴの下流の排気ガス流中に尿素を注入する尿素注入器を含む。尿素注入システムは、好ましくは、尿素溶液のよく規格化された液滴を生じるようなノズルからなる。液滴サイズは、好ましくは、急速エバポレーション及び尿素分解が可能となるように、５００マイクロ未満である。注入器の圧力及びポンプ速度は、排気ガス流における効果的な混合を可能にするようなものであろう。
【００４６】
尿素注入システムは、好ましくは、尿素タンク、輸送ライン、及び、場合により尿素溶液の凍結を避けるための加熱システムからもなるであろう。
【００４７】
好ましくは、尿素注入システムは、約１８０℃より上の温度において尿素を注入する。
【００４８】
本発明は、内燃機関からの排気ガスを処理するための方法も含む。方法は、上記のモディファイドＬＮＴに排気ガスを通過させることを含む。モディファイドＬＮＴは、約２００℃未満の温度において排気ガスからの窒素の酸化物（ＮＯｘ）を除去し、かつ約２００℃より上の温度においてＮＯｘを放出する。約１８０℃より上の温度において、尿素は、モディファイドＬＮＴの下流の排気ガス中に注入され、モディファイドＬＮＴから放出されたＮＯｘを含有する排気ガス及び尿素は、ＮＨ３−ＳＣＲ触媒上を通過する。放出されたＮＯｘは、ＮＨ３−ＳＣＲ触媒上でのアンモニア（尿素から発生する）とＮＯｘの反応により窒素に変換される。放出されたＮＯｘは、低温度においてモディファイドＬＮＴ上に貯蔵されてその後高温度において放出されるＮＯｘであり、かつ貯蔵されることなくＮＨ３−ＳＣＲ触媒上を通過するＮＯｘも含む。
【００４９】
好ましくは、モディファイドＬＮＴは、リッチな脱硫工程に定期的に供される。硫黄化合物の酸化が排気ガス中の硫黄酸化物をもたらすので、燃料中の硫黄化合物の存在は、モディファイドＬＮＴに有害であり得る。ＬＮＴ中で、硫黄酸化物は、白金族金属上で硫黄三酸化物へと酸化され得、かつＬＮＴ表面上に硫酸塩面を形成し得る（例えば、バリウム酸化物又はバリウム炭化物は、硫黄三酸化物と反応してバリウム硫酸塩を形成する）。これらの硫酸塩は、硝酸塩より安定であり、かつ脱硫するためにより高い温度（＞５００℃）を必要とする。モディファイドＬＮＴが、低いバリウム含有量を有する場合、より低い脱硫温度は、有用であってよい。
【００５０】
リッチな脱硫において、モディファイドＬＮＴは、典型的には、硫黄除去を果たすようなリッチな空気：燃料比の環境中で約５００℃より上の温度に供される。脱硫は、好ましくは、後の燃料注入を通して排気温度を増加させることにより実施される。脱硫法は、単一、連続的なリッチ期間、又は一連の短いリッチな空気対燃料比のパルスを含んでよい。
【００５１】
以下の例は、本発明を例示するものにすぎない。当業者は、本発明の精神及び特許請求の範囲内にある多くの変形例を認識するであろう。
【実施例１】
【００５２】
モディファイドＬＮＴの調製
モディファイドＬＮＴ  １Ａ
４００セル毎平方インチ（ｃｐｓｉ）フロースローコーディエライト基材モノリスは、２層を含むＮＯｘ吸着触媒製剤でコーティングされる。より低い方の層のウォッシュ―コートは、Ｐｔ、Ｐｄ、２８％のＣｅ／マグネシウム−アルミン酸塩スピネル及び６６％セリア（総セリアローディングの９５％は、７％Ｂａを含有する微粒子セリアを含む）を含む。ウォッシュコートは、ＷＯ  ９９／４７２６０に記載の方法を使用して未使用の基材上にコーティングされ、後に、１００℃において通風乾燥機で３０分間乾燥させること、及びその後５００℃において２時間熱することが続く。
【００５３】
第二のスラリーは、スラリー化及びミリングされてｄ９０＜２０マイクロとなるアルミナからなり、後に、適切な量の溶融白金及びパラジウム塩、並びに５０％アルミナ及び５０％微粒子セリアを与えるような微粒子セリアの添加が続き、調製される。第二のスラリーは、出口チャネルを介して、か焼されたより低い方の層に塗布される。部分は、５００℃において乾燥及びか焼される。
【００５４】
水中でスラリー化及びミリングされてｄ９０＜２０マイクロとなるシリカドープアルミナ粉末からなる第三のスラリーが調製される。バリウム酢酸塩は、スラリーに添加され、後に、適切な量の溶融白金及びパラジウム塩が続く。スラリーは、その後、８１％ドープシリカアルミナ及び１９％ベータゼオライトを与えるようなベータゼオライトの添加の前に、均質化するように３０分間撹拌される。第三のスラリーは、入口チャネルを介して、か焼されたより低い方の層に塗布される。部分は、８９ｇ／ｆｔ３  Ｐｔ及び３０ｇ／ｆｔ３  Ｐｄの総ＰＧＭローディングを与えるように、５００℃において乾燥及びか焼された。
【００５５】
比較ＬＮＴ  ２
４００セル毎平方インチ（ｃｐｓｉ）フロースルーコーディエライト基材モノリスは、Ｐｔ、Ｐｄ、Ｃｅ／マグネシウム−アルミン酸塩スピネル、Ｂａコーティングされた微粒子セリアを含み３３％のＣｅ／マグネシウム−アルミン酸塩スピネル、６１％のセリア（総セリアローディングの９３％は、７％Ｂａを含有する微粒子セリアを含む）並びに１１３ｇ／ｆｔ３のＰｔ及びＰｄを含有する単一層を含むＮＯｘ吸着触媒製剤でコーティングされる。ウォッシュコートは、ＷＯ  ９９／４７２６０に記載の方法を使用して未使用の基材上にコーティングされ、後に、１００℃において通風乾燥機で３０分間乾燥させること、及びその後５００℃において２時間熱することが続く。
【実施例２】
【００５６】
機関試験
モディファイドＬＮＴ  １Ａ及び比較ＬＮＴ  ２（１．４Ｌの触媒体積）は、５時間、８００℃において、水熱的にエージングされる。各ＬＮＴは、１００ｋｐｈクルーズでラムダ０．９５において５ｓのリッチパージを用いる４回のＮＥＤＣサイクル走行により、低圧力排気ガス再循環（ＥＧＲ）を用いる１．６リットル機関上で事前調節される。評価は、その後、２．２リットル機関上でＮＥＤＣ運転サイクルにわたり実施される。リッチなパージングは、評価の間で用いられない。
【００５７】
結果は、モディファイドＬＮＴ  １Ａが、約２００℃まで約０．５ｇのＮＯｘを貯蔵し、その後貯蔵されたＮＯｘのほとんど完璧な熱的放出が２００から３００℃まで続くことを示し、それは、本発明のモディファイドＬＮＴがＮＨ３−ＳＣＲシステムで使用可能であることを示す。図２は、モディファイドＬＮＴ  １Ａの設計が、ＬＮＴ後のＮＯ２／ＮＯｘ比を、比較ＬＮＴ  ２についての５−２０％と比較して２０−４０％に増加させることを示す。表１は、リッチなパージング無しで４回のＮＥＤＣにわたり、はるかに上回るＣＯ変換、及び酸化不活性化に対する大いに改善された安定性を示す、モディファイドＬＮＴ  １Ａを用いた排気管ＣＯ排出物を記載する。表２は、はるかに上回るＨＣ変換を示すモディファイドＬＮＴ  １Ａを用いる排気管ＨＣ排出物を記載する。
0006606544.tif 000002
0006606544.tif 000003
【図１】
0006606544.tif 000004
【図２】
0006606544.tif 000005